(57)【要約】【課題】コルゲートチューブの保持状態を目視により確認することができる電線カバーを提供することを目的とする。【解決手段】コルゲートチューブ３０の前端部が内嵌されるチューブ保持部１９には、その外周面から内周面に貫通する貫通孔２３Ａ，２３Ｂ，２３Ｃが形成されているから、この貫通孔２３Ａ，２３Ｂ，２３Ｃを通して、電線カバー１０のチューブ保持部１９に内嵌されたコルゲートチューブ３０の保持状態を目視により確認することができる。また、この貫通孔２３Ａ，２３Ｂ，２３Ｃを通して電線カバー１０内の水が外側へ排出されるから、電線カバー１０内に水が溜まり難い。【選択図】図９
2008041314.tif 000002
【特許請求の範囲】
【請求項１】
合体すると筒状をなす一対の半割部材からなり、その一端側は電線が引き出されるコネクタの後端部に取り付けられ、一方他端側には前記電線が挿通するコルゲートチューブの前端部が内嵌され、前記電線における前記コネクタの後端部と前記コルゲートチューブの前端部との間の部分を包囲する電線カバーにおいて、
前記コルゲートチューブの前端部が内嵌される部分は、その内周面に前記コルゲートチューブの外周面の溝部に嵌合する嵌合突部と、同コルゲートチューブの突条部が嵌合する嵌合凹部とが形成されたチューブ保持部とされており、
前記チューブ保持部には、同チューブ保持部の外周面から内周面に貫通する貫通孔が形成されていることを特徴とする電線カバー。
【請求項２】
前記貫通孔は、前記半割部材同士が合体した状態では、その合体した半割部材の軸線を挟んで互いに対向する位置に配されていることを特徴とする請求項１に記載の電線カバー。
【請求項３】
前記貫通孔は、前記嵌合凹部に形成されていることを特徴とする請求項１または請求項２に記載の電線カバー。
【請求項４】
前記嵌合凹部は前記突条部の並列ピッチと同ピッチで前記軸線方向に複数並べられ、
前記貫通孔は、この複数の嵌合凹部のうち、少なくとも、前記コルゲートチューブの前端部が前記チューブ保持部に対して所定深さで保持された場合に最も前記コネクタの後端部に近い位置に配される突条部が嵌合する嵌合凹部に形成されていることを特徴とする請求項３に記載の電線カバー。
【請求項５】
前記貫通孔における前後方向の幅寸法は、前記突条部における前後方向の幅寸法とほぼ同じ寸法とされていることを特徴とする請求項３または請求項４に記載の電線カバー。
【請求項６】
前記貫通孔は、前記チューブ保持部に形成されたすべての前記嵌合凹部に設けられていることを特徴とする請求項３ないし請求項５のいずれかに記載の電線カバー。
【発明の詳細な説明】
【技術分野】
【０００１】
本発明は、電線の導出部分を保護する電線カバーに関する。
【背景技術】
【０００２】
コネクタの端部に取り付けられて電線の導出部分を保護する電線カバーとして、特許文献１に記載のものが知られている。この電線カバーは、半割りにされた一対のカバーハウジングによって構成され、その一端部は電線が引き出されるコネクタの後端部に取り付けられるとともに、他端部には、この電線が挿通されるコルゲートチューブの前端部が内嵌される。このコルゲートチューブの前端部が内嵌されるチューブ保持部の内周面には、コルゲートチューブの外周面に形成された突条部と溝部とにそれぞれ嵌合可能な嵌合凹部および嵌合突部が形成されている。そして、この嵌合凹部および嵌合突部とコルゲートチューブの突条部および溝部とがそれぞれ嵌合するようにして一方のカバーハウジングをコルゲートチューブに装着した後、同じく嵌合凹部および嵌合突部を突条部および溝部に嵌めつつ他方のカバーハウジングをコルゲートチューブに被せるようにして両カバーハウジングを合体させる。すると、チューブ保持部の嵌合凹部および嵌合突部がコルゲートチューブの突条部と溝部とにそれぞれ嵌合してコルゲートチューブが電線カバーに保持された状態となる。
【特許文献１】特開２００５−１９０６９公報
【発明の開示】
【発明が解決しようとする課題】
【０００３】
しかしながら、上記のような構造では、一方のカバーハウジングに他方のカバーハウジングを合体させたときに、チューブ保持部の嵌合凹部および嵌合突部がコルゲートチューブの突条部および溝部にそれぞれ嵌合した状態で、コルゲートチューブがチューブ保持部に対して所定深さで保持されているか否かを外側から視認することができない。このため、コルゲートチューブが所定位置よりも浅い位置で保持されていたり、嵌合凹部および嵌合突部と突条部および溝部とが正規に嵌合せず、例えばコルゲートチューブが押し潰された状態で保持されていたりしても、そのままの状態で留め置かれてしまう可能性がある。すると、コルゲートチューブの保持力が十分得られないおそれがあるため問題である。
【０００４】
本発明は上記のような事情に基づいて完成されたものであって、コルゲートチューブの保持状態を目視により確認することができる電線カバーを提供することを目的とする。
【課題を解決するための手段】
【０００５】
上記の目的を達成するための手段として、請求項１の発明は、合体すると筒状をなす一対の半割部材からなり、その一端側は電線が引き出されるコネクタの後端部に取り付けられ、一方他端側には前記電線が挿通するコルゲートチューブの前端部が内嵌され、前記電線における前記コネクタの後端部と前記コルゲートチューブの前端部との間の部分を包囲する電線カバーにおいて、前記コルゲートチューブの前端部が内嵌される部分は、その内周面に前記コルゲートチューブの外周面の溝部に嵌合する嵌合突部と、同コルゲートチューブの突条部が嵌合する嵌合凹部とが形成されたチューブ保持部とされており、前記チューブ保持部には、同チューブ保持部の外周面から内周面に貫通する貫通孔が形成されているところに特徴を有する。
【０００６】
請求項２の発明は、請求項１に記載のものにおいて、前記貫通孔は、前記半割部材同士が合体した状態では、その合体した半割部材の軸線を挟んで互いに対向する位置に配されているところに特徴を有する。
請求項３の発明は、請求項１または請求項２に記載のものにおいて、前記貫通孔は、前記嵌合凹部に形成されているところに特徴を有する。
【０００７】
請求項４の発明は、請求項３に記載のものにおいて、前記嵌合凹部は前記突条部の並列ピッチと同ピッチで前記軸線方向に複数並べられ、前記貫通孔は、この複数の嵌合凹部のうち、少なくとも、前記コルゲートチューブの前端部が前記チューブ保持部に対して所定深さで保持された場合に最も前記コネクタの後端部に近い位置に配される突条部が嵌合する嵌合凹部に形成されているところに特徴を有する。
【０００８】
請求項５の発明は、請求項３または請求項４に記載のものにおいて、前記貫通孔における前後方向の幅寸法は、前記突条部における前後方向の幅寸法とほぼ同じ寸法とされているところに特徴を有する。
請求項６の発明は、請求項３ないし請求項５のいずれかに記載のものにおいて、前記貫通孔は、前記チューブ保持部に形成されたすべての前記嵌合凹部に設けられているところに特徴を有する。
【発明の効果】
【０００９】
＜請求項１の発明＞
チューブ保持部には、その外周面から内周面に貫通する貫通孔が形成されているから、この貫通孔を通して、合体した半割部材（電線カバー）のチューブ保持部に内嵌されたコルゲートチューブの保持状態を目視により確認することができる。また、この貫通孔を通して電線カバー内の水が外側へ排出されるから、電線カバー内に水が溜まり難い。
【００１０】
＜請求項２の発明＞
貫通孔は、半割部材同士が合体した状態では、その合体した半割部材の軸線を挟んで互いに対向する位置に配されているから、チューブ保持部における軸線を挟んだ両側においてその内側を目視することができ、コルゲートチューブの片側が位置ずれ等したまま留め置かれてしまう事態を回避できる。また、電線カバーの向きによって貫通孔の位置が上方のみに片寄って配されることが防がれるから、より確実に電線カバー内から水が排出される。
【００１１】
＜請求項３の発明＞
貫通孔は、チューブ保持部の嵌合凹部に形成されている。この嵌合凹部は、凹み形状であるため水が溜まりやすい部分であり、そのような部分に貫通孔が設けられているから、効率よく水の排水が行われる。
【００１２】
＜請求項４の発明＞
貫通孔は、突条部の並列ピッチと同ピッチで軸線方向に複数並べられた嵌合凹部のうち、少なくとも、コルゲートチューブの前端部がチューブ保持部に対して所定深さで保持された場合に最も前側位置（コネクタの後端部に近い位置）に配される突条部と嵌合する嵌合凹部に形成されている。これにより、貫通孔を通してその突条部を目視できれば、コルゲートチューブが所定深さに保持されていることを認識でき、突条部を目視できなければ、コルゲートチューブが所定深さに至らない浅い位置で保持されていることを認識できるから、コルゲートチューブが浅い位置で保持されたまま留め置かれることが回避される。
【００１３】
＜請求項５の発明＞
貫通孔における前後方向の幅寸法は、突条部における前後方向の幅寸法とほぼ同じ寸法とされているから、突条部が前後方向にわずかにずれているだけでもその前縁もしくは後縁が貫通孔を通して目視できる。これにより、コルゲートチューブの前後方向におけるわずかな位置のずれも認識することができる。
【００１４】
＜請求項６の発明＞
貫通孔は、チューブ保持部に形成されたすべての嵌合凹部に設けられているから、より確実に水の排水がなされる。
【発明を実施するための最良の形態】
【００１５】
以下、本発明の実施形態を図１〜図１０によって説明する。
本実施形態における電線カバー１０は、図１に示すように、一端側はコネクタ４０の後端部に取り付けられ、一方他端側にはコルゲートチューブ３０の前端部が内嵌され、コネクタ４０の後端部から引き出される電線４１の露出部分を保護するものである。
【００１６】
コルゲートチューブ３０は合成樹脂製であって、外周面に溝部３１と突条部３２とを交互に配した蛇腹状をなし、電線４１の配索経路に柔軟に追従できる可撓性を備え、電線４１を包囲して保護するものである。
【００１７】
以下、各構成部材において、コネクタ４０からの電線４１の引き出し方向（図１の右側）を後方とし、また、電線カバー１０のカバーハウジング１１の組み付け方向（図１の上下方向）を横方向として説明する。
【００１８】
コネクタ４０は、全体として若干横長のブロック状をなし、その内部には図示しない端子金具が収容されている。そして、端子金具に接続された電線４１は、図２に示すように、コネクタ４０の後端から後方に引き出され、コルゲートチューブ３０内を挿通している。コネクタ４０の後端部には、一対の連結突部４２が設けられている。
【００１９】
このコネクタ４０の後端部には、電線カバー１０が取り付けられている。電線カバー１０は、合体すると角筒状をなす一対のカバーハウジング１１（本発明における半割部材に該当する）からなるものである。このカバーハウジング１１はともに合成樹脂材料によって形成され、互いに同一の形状をなし、その内周面同士を対向させるとともに突き当て面１２同士を突き当てた状態で合体する。
【００２０】
カバーハウジング１１の外周面には、図２に示すように、突き当て面１２よりも相手側に向かって張り出す係止片１３と、この係止片１３と係止可能な係止突起１４とが前後に一対ずつ設けられ、この係止突起１４と係止片１３とがそれぞれ係止することにより両カバーハウジング１１が合体状態で保持される。
【００２１】
また、カバーハウジング１１の前端部には、図３に示すように、コネクタ４０の連結突部４２に係止可能な連結孔１５が設けられている。この連結孔１５は、縦方向（図３における上下方向）に長い矩形状をなしている。この連結孔１５と連結突部４２とを嵌め合わせることにより、カバーハウジング１１がコネクタ４０の後端部に連結される（図９参照）。なお、連結孔１５の周面における後側の面には、図３および図４に示すように、一対のがた詰め部１５Ａが設けられ、コネクタ４０と電線カバー１０との間のがたつきが防止される。
【００２２】
そして、カバーハウジング１１における略前半部分は、図８に示すように、一対のカバーハウジング１１が合体したときに、電線４１におけるコネクタ４０の後端部とコルゲートチューブ３０の前端部との間の露出部分を包囲する電線包囲部１６とされている。
【００２３】
電線包囲部１６には、この電線包囲部１６の外側と内側とを連通する水抜き孔１７が形成されている。この水抜き孔１７はクランク状に屈曲した形状をなし、その奥方（内方）には、後方へ張りだす遮蔽片１８が設けられている。この遮蔽片１８は、水抜き孔１７全体を覆う形状とされており、水抜き孔１７を介して電線包囲部１６内に侵入した水を排出できるとともに、高圧洗浄等によって水が飛散しても内方へ水が侵入しにくくなっている。なお、水抜き孔１７は、縦方向（図１０における上下方向）に長い矩形状をなして開口している。
【００２４】
一方、カバーハウジング１１における略後半部分は、図８に示すように、一対のカバーハウジング１１が合体したときに、コルゲートチューブ３０の前端部を保持するチューブ保持部１９とされている。このチューブ保持部１９は、図６に示すように、合体したときに互いに対向する対向壁１９Ａと、この対向壁１９Ａの縦方向における両端縁から相手側へ向かって立ち上がる一対の立上り壁１９Ｂとから構成されている。一対の立上り壁１９Ｂは、対向壁１９Ａの壁面に対してほぼ垂直をなして立ち上がっている。この立上り壁１９Ｂおよび対向壁１９Ａによって形成された内周面は、コルゲートチューブ３０を挟んで一対のカバーハウジング１１が合体したときに、コルゲートチューブ３０の突条部３２の外周面（突出端面３２Ａ）に外接しそうな略正方形をなす形状とされている。
【００２５】
そして、チューブ保持部１９の内周面には、コルゲートチューブ３０の外周面の溝部３１に嵌合する嵌合突部２０と、コルゲートチューブ３０の突条部３２が嵌合する嵌合凹部２１とが形成されている。各嵌合突部２０は同一形状とされ、対向壁１９Ａの内周面から両立上り壁１９Ｂの内周面にかけて周方向に連続して突出しており、その突出端面はコルゲートチューブ３０の溝部３１の底面に沿う略半円弧状をなしている。そして、一対のカバーハウジング１１が合体すると、図７に示すように、嵌合突部２０の突出端面は、溝部３１の全周にわたって連続する円形状をなす。また、嵌合突部２０は、図９に示すように、その突出端面から根元側へ向かって徐々に前後方向の幅が広がる形状とされ、コルゲートチューブ３０の溝部３１に対してほぼ隙間無く嵌まるようになっている。
【００２６】
この嵌合突部２０は、図８に示すように、カバーハウジング１１の後端部に形成された第一嵌合突部２０Ａと、この第一嵌合突部２０Ａからコルゲートチューブ３０の突条部３２と同一ピッチで前方へ向かって順番に配された第二嵌合突部２０Ｂと、第三嵌合突部２０Ｃとの計３つが設けられている。なお、一対のカバーハウジング１１が合体したときに、第一嵌合突部２０Ａ同士が連続することにより、簡易防水の機能および異物進入防止の機能が果たされる。
【００２７】
そして、第一嵌合突部２０Ａと第二嵌合突部２０Ｂ、第二嵌合突部２０Ｂと第三嵌合突部２０Ｃとの間の部分は、それぞれ第一嵌合凹部２１Ａおよび第二嵌合凹部２１Ｂとされ、また第一嵌合突部２０Ａの前側部分は、第三嵌合凹部２１Ｃとされている。この３つの嵌合凹部２１Ａ，２１Ｂ，２１Ｃは、軸線方向（電線４１の長さ方向）にコルゲートチューブ３０の突条部３２と同一ピッチで並んでいる。各嵌合凹部２１Ａ，２１Ｂ，２１Ｃの底面２２（突条部３２の突出端面３２Ａと対向する面）の前後方向の幅寸法は、コルゲートチューブ３０の突条部３２の突出端面３２Ａの前後方向寸法とほぼ同じ寸法となっている。
【００２８】
そして、図９に示すように、３つの嵌合突部２０Ａ，２０Ｂ，２０Ｃがそれぞれコルゲートチューブ３０の溝部３１に嵌合するとともに、コルゲートチューブ３０の突条部３２がそれぞれ３つの嵌合凹部２１Ａ，２１Ｂ，２１Ｃに嵌合し、これらが嵌まり合うことによってチューブ保持部１９に内嵌されたコルゲートチューブ３０の前端部は十分な力で保持される。第三嵌合凹部２１Ｃは、コルゲートチューブ３０がこの所定深さ（十分な保持力を得られる深さ）で保持される場合に最も前側位置（コネクタ４０の後端部に近い位置）に配される突条部３２と嵌合する嵌合凹部２１に該当する。
【００２９】
さて、チューブ保持部１９には、このチューブ保持部１９の外周面から内周面に貫通する貫通孔２３が設けられている。貫通孔２３は、チューブ保持部１９に形成されたすべての嵌合凹部２１（第一嵌合凹部２１Ａ、第二嵌合凹部２１Ｂ、第三嵌合凹部２１Ｃ）に１箇所ずつ、計３箇所に形成されている。これらを、各嵌合凹部２１Ａ，２１Ｂ，２１Ｃに対応させて第一貫通孔２３Ａ、第二貫通孔２３Ｂ、第三貫通孔２３Ｃと称する。各貫通孔２３Ａ，２３Ｂ，２３Ｃは、チューブ保持部１９の対向壁１９Ａに形成されており、カバーハウジング１１同士が合体した状態では、その合体したカバーハウジング１１の軸線（言い換えると、コルゲートチューブ３０）を挟んで互いに対向するようになっている。
【００３０】
各貫通孔２３Ａ，２３Ｂ，２３Ｃは、それぞれ同形をなし、縦方向（図１０における上下方向）に長い形状とされ、その長手方向の両端部は円弧形状とされている。また、各貫通孔２３Ａ，２３Ｂ，２３Ｃの前後方向（電線４１の引き出し方向）の幅寸法は、コルゲートチューブ３０の突条部３２の突出端面３２Ａの前後方向の幅寸法とほぼ同じ寸法（すなわち各嵌合凹部２１Ａ，２１Ｂ，２１Ｃの底面２２の前後方向の幅寸法とほぼ同じ寸法）とされている。そして、電線カバー１０が組み付けられた状態で、外側から各貫通孔２３Ａ，２３Ｂ，２３Ｃを見ると、各貫通孔２３Ａ，２３Ｂ，２３Ｃの前縁および後縁は、各突条部３２の突出端面３２Ａの前縁および後縁に揃うようになっている（図１０参照）。
【００３１】
次に、上記のように構成された本実施形態の作用および効果について説明する。
まず、電線カバー１０、コルゲートチューブ３０およびコネクタ４０の組み付け方法について説明する。最初に、端子金具に接続した電線４１をコルゲートチューブ３０内に挿通した後、その端子金具をコネクタ４０内に収容する。次いで、離間した一対のカバーハウジング１１のうち一方のカバーハウジング１１を、各嵌合突部２０Ａ，２０Ｂ，２０Ｃおよび各嵌合溝部３１とコルゲートチューブ３０の溝部３１および突条部３２とがそれぞれ嵌まり合うよう位置合わせしつつ、コルゲートチューブ３０の前端部に装着する。このとき、必要に応じて、各貫通孔２３Ａ，２３Ｂ，２３Ｃを通して、各突条部３２が各嵌合凹部２１Ａ，２１Ｂ，２１Ｃの位置に配されているかどうかをカバーハウジング１１の外側から目視しながら位置合わせすることができる。こうして、一方のカバーハウジング１１とコルゲートチューブ３０とは、各嵌合突部２０Ａ，２０Ｂ，２０Ｃおよび各嵌合凹部２１Ａ，２１Ｂ，２１Ｃと溝部３１と溝部３１および突条部３２との嵌まり合いによって仮組みされた状態となる。そして、連結孔１５をコネクタ４０の連結突部４２に嵌め込むことにより、一方のカバーハウジング１１をコネクタ４０に連結する。
【００３２】
次に、他方のカバーハウジング１１を、一方のカバーハウジング１１に仮組みされたコルゲートチューブ３０に対して、各嵌合突部２０Ａ，２０Ｂ，２０Ｃおよび各嵌合凹部２１Ａ，２１Ｂ，２１Ｃと溝部３１および突条部３２とが嵌まり合うように位置あわせする。このとき、各貫通孔２３Ａ，２３Ｂ，２３Ｃを通して内側を目視しながら他方のカバーハウジング１１の位置を調整し、全ての貫通孔２３Ａ，２３Ｂ，２３Ｃにおいて突条部３２が目視できるよう位置あわせを行う。そして、両カバーハウジング１１の外側から各貫通孔２３Ａ，２３Ｂ，２３Ｃを通してコルゲートチューブ３０の突条部３２を確認しながら両カバーハウジング１１の突き当て面１２同士が突き当たるように組み合わせる。すると、互いに相手側に張出した係止片１３が、対向する位置に配された係止突起１４に乗り上げるのにつれて弾性撓みし、係止突起１４を乗り越えると同時に弾性復帰して係止突起１４に係止し、両カバーハウジング１１は合体した状態で保持される。
【００３３】
そして、組み付け後、各貫通孔２３Ａ，２３Ｂ，２３Ｃから突条部３２が見えるかどうかを確認する。すべての貫通孔２３Ａ，２３Ｂ，２３Ｃを通して突条部３２を目視できれば、各嵌合突部２０Ａ，２０Ｂ，２０Ｃおよび各嵌合凹部２１Ａ，２１Ｂ，２１Ｃと溝部３１および突条部３２とが正規嵌合した状態で、コルゲートチューブ３０が所定深さで保持されていると認識できる。この嵌合状態で得られる保持力は、コルゲートチューブ３０が電線カバー１０から抜け出す方向（後方）に引っ張られた場合に作用する引き抜き力に対して十分なものとなる。
【００３４】
そして、貫通孔２３Ａ，２３Ｂ，２３Ｃを通して突条部３２が見えない貫通孔２３がある場合には、その位置までコルゲートチューブ３０が達していないと認識できる。また、貫通孔２３から突条部３２が見えたとしても、その突条部３２の形状が歪んでいる場合等には正規の嵌合状態ではないことを認識できる。例えば、第三貫通孔２３Ｃから見える突条部３２の前縁が第三貫通孔２３Ｃの中ほどに見える場合には、突条部３２の後側部分が力任せに第二嵌合突部２０Ｂに押し潰されるような状態になっている可能性がある。このような場合には、治具を用いて係止片１３と係止突起１４との係止状態を解除し、再び前述のようにカバーハウジング１１の位置を合わせつつ、両カバーハウジング１１を正規の嵌合状態になるよう組み付け直すことにより、コルゲートチューブ３０の保持力が不足した状態のまま留め置かれてしまうことを防止できる。
【００３５】
また、電線カバー１０の使用時には、その内側に水が侵入してしまうことがある。侵入した水は、電線包囲部１６の水抜き孔１７から排出されることになるけれども、水抜き孔１７から排出されずにカバーハウジング１１の内周面を伝ってチューブ保持部１９に至る場合がある。ここで、チューブ保持部１９のすべての嵌合凹部２１Ａ，２１Ｂ，２１Ｃには貫通孔２３Ａ，２３Ｂ，２３Ｃがそれぞれ形成されているから、チューブ保持部１９に至った水滴は、その嵌合凹部２１Ａ，２１Ｂ，２１Ｃのうちいずれかの嵌合凹部２１に形成された貫通孔２３を通って外側へ排出される。このように、全ての嵌合凹部２１Ａ，２１Ｂ，２１Ｃに貫通孔２３が形成されているから、チューブ保持部１９内に水が溜まり難い。また、貫通孔２３Ａ，２３Ｂ，２３Ｃが、電線カバー１０の軸線を挟んで対抗する両側に配されており、コネクタ４０の向きが、この貫通孔２３が上側と下側とに配される向きになった場合には、水滴は内周面を下方へ伝って下側に配された貫通孔２３から排出される。また、コネクタ４０の向きが、貫通孔２３が左側と右側とに配される向きになった場合には、突き当て面１２が下側に配され、水滴はこの突き当て面１２同士のわずかな隙間から漏れ出すから、長時間電線カバー１０の内部に溜まったままとなることが回避される。すなわち、コネクタ４０の向き（電線カバー１０の向き）がどのような向きになっても、電線カバー１０の内部に水が溜まりにくい構造となっている。
【００３６】
以上説明したように本実施形態によれば、コルゲートチューブ３０の前端部が内嵌されるチューブ保持部１９には、その外周面から内周面に貫通する貫通孔２３Ａ，２３Ｂ，２３Ｃが形成されているから、この貫通孔２３Ａ，２３Ｂ，２３Ｃを通して、電線カバー１０（合体したカバーハウジング１１）のチューブ保持部１９に内嵌されたコルゲートチューブ３０の保持状態を目視により確認することができる。また、この貫通孔２３Ａ，２３Ｂ，２３Ｃを通して電線カバー１０内の水が外側へ排出される。そして、貫通孔２３Ａ，２３Ｂ，２３Ｃは、チューブ保持部１９における水が溜まりやすい嵌合凹部２１Ａ，２１Ｂ，２１Ｃにそれぞれ形成されているから、水の排出は確実に、また効率よく行われる。
【００３７】
そして、貫通孔２３は、カバーハウジング１１同士が合体した状態では、電線カバー１０の軸線を挟んで互いに対向する位置に配されているから、コルゲートチューブ３０を挟んだ両側においてその内側を目視することができ、コルゲートチューブ３０の片側が位置ずれ等したまま留め置かれてしまう事態を回避できる。また、電線カバー１０の向きによって貫通孔２３の位置が上方のみに片寄って配されることが防がれるから、確実に電線カバー１０内から水が排出される。
【００３８】
そして、第三嵌合凹部２１Ｃに形成された第三貫通孔２３Ｃを通して突条部３２を目視できれば、コルゲートチューブ３０が所定深さに保持されていることを認識でき、突条部３２を目視できなければ、コルゲートチューブ３０が所定深さに至らない浅い位置で保持されていることを認識できる。これにより、コルゲートチューブ３０が浅い位置で保持されたまま留め置かれることが回避される。
【００３９】
また、貫通孔２３における前後方向の幅寸法は、突条部３２における前後方向の幅寸法とほぼ同じ寸法とされているから、突条部３２が前後方向にわずかにずれているだけでもその前縁もしくは後縁が貫通孔２３を通して目視できる。これにより、コルゲートチューブ３０の前後方向におけるわずかな位置のずれも認識することができる。
【００４０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４１】
（１）上記実施形態では、別体の部品であるカバーハウジング１１が合体して電線カバー１０を構成するものに本発明を適用したが、これに限らず、例えばヒンジ等によって連結された一対のカバーハウジングが電線カバーを構成するものにも本発明を適用できる。
【００４２】
（２）上記実施形態では、貫通孔２３は、チューブ保持部１９の嵌合凹部２１に形成されているが、これに限らず、嵌合突部に形成されていてもよく、また嵌合凹部から嵌合突部にわたって形成されていてもよい。
【００４３】
（３）上記実施形態では、貫通孔２３は、縦方向に長い形状とされているが、その形状は内部を目視可能であればどのような形状であってもよく、例えば円形状等であってもよい。
【００４４】
（４）上記実施形態では、貫通孔２３は、各嵌合凹部２１に一ずつ形成されているが、例えば、各嵌合凹部に複数の貫通孔を周方向に並列して形成してもよい。
（５）上記実施形態では、貫通孔２３の前後方向の幅寸法は突条部３２の前後方向の幅寸法とほぼ同じ寸法としたが、これに限らず、その幅寸法は小さくても大きくてもよい。
【００４５】
（６）上記実施形態では、すべての嵌合凹部２１Ａ，２１Ｂ，２１Ｃに貫通孔２３Ａ，２３Ｂ，２３Ｃを形成したが、これに限らず、そのうちの１箇所、もしくは２箇所のみに形成するようにしてもよい。ここで、第三嵌合凹部のみに貫通孔を設けた場合には、コルゲートチューブが所定の深さに嵌合されたかどうかを確認できる。そして、例えば、一方のカバーハウジングにおいては第三嵌合凹部のみに貫通孔を設け、他方のカバーハウジングにおいては第一嵌合凹部のみに貫通孔を設けるようにしてもよい。
【００４６】
（７）上記実施形態では、互いに同一の形状をなすカバーハウジング１１同士を合体させて、両側に貫通孔２３が配される構造としたが、互いに同一の形状でないカバーハウジング同士を合体させる場合には、貫通孔が片側のみに配されるようにしてもよい。
【００４７】
（８）上記実施形態では、貫通孔２３は、合体したカバーハウジング１１の軸線を挟んで互いに対向するようになっているが、必ずしも対向する位置に配さなくてもよい。
【図面の簡単な説明】
【００４８】
【図１】本実施形態にかかる電線カバーがコネクタに組み付けられた状態を表す平面図
【図２】電線カバーがコネクタから外された状態を表す平面図
【図３】カバーハウジングを内側からみた側面図
【図４】カバーハウジングの正面図
【図５】カバーハウジングの背面図
【図６】電線カバーがコルゲートチューブから外された状態を表す断面図
【図７】電線カバーがコルゲートチューブに組み付けられた状態を表す断面図
【図８】電線カバーがコネクタから外された状態を表す断面図
【図９】電線カバーがコネクタに組み付けられた状態を表す断面図
【図１０】電線カバーがコネクタに組み付けられた状態を表す側面図
【符号の説明】
【００４９】
１０…電線カバー
１１…カバーハウジング（半割部材）
１９…チューブ保持部
２０…嵌合突部
２１…嵌合凹部
２３…貫通孔
３０…コルゲートチューブ
３１…溝部
３２…突条部
４０…コネクタ
４１…電線
【図１】
2008041314.tif 000003
【図２】
2008041314.tif 000004
【図３】
2008041314.tif 000005
【図４】
2008041314.tif 000006
【図５】
2008041314.tif 000007
【図６】
2008041314.tif 000008
【図７】
2008041314.tif 000009
【図８】
2008041314.tif 000010
【図９】
2008041314.tif 000011
【図１０】
2008041314.tif 000012